(57)【要約】【課題】外部衝撃などが与えられても、洗濯機の前面部を成すコントロールパネル／ドアが損傷から保護される洗濯機を提供する。【解決手段】開示される洗濯機は、洗濯機の前面を成す前面部と、前記前面部の周りに設けられ、その設けられた部分をカバーするアールデコ調のパネルと、を備える。【特許請求の範囲】
【請求項１】
洗濯機の前面に形成される前面フレームと、
前記前面フレームの前面に配置される前面部と、
前記前面部の周りに設けられ、その設けられた部分をカバーするアールデコ調のパネルと、を含むことを特徴とする洗濯機。
【請求項２】
前記アールデコ調のパネルは、前記前面部と前記前面フレームのうち少なくとも一つに着脱可能であることを特徴とする請求項１に記載の洗濯機。
【請求項３】
前記アールデコ調のパネルは、それぞれ独立的な複数の部分からなることを特徴とする請求項１に記載の洗濯機。
【請求項４】
前記アールデコ調のパネルは、上側アールデコ調のパネルと、左／右側アールデコ調のパネルと、下側アールデコ調のパネルとからなることを特徴とする請求項３に記載の洗濯機。
【請求項５】
前記アールデコ調のパネルはの各部分が相互結合されるよう、前記アールデコ調のパネルの各部分には結合部が形成されることを特徴とする請求項３に記載の洗濯機。
【請求項６】
前記アールデコ調のパネルには、前記アールデコ調のパネルが前記前面部と前記前面フレームのうち少なくとも一つに設けられるよう、別途の結合部材が貫通する結合部が形成されることを特徴とする請求項１に記載の洗濯機。
【請求項７】
前記アールデコ調のパネルには、前記アールデコ調のパネルが前記前面部にスライドされて設けられるようにするスライド部が形成されることを特徴とする請求項１に記載の洗濯機。
【請求項８】
前記アールデコ調のパネルには、前記前面フレームを遮蔽する遮蔽部が形成されることを特徴とする請求項１に記載の洗濯機。
【請求項９】
前記アールデコ調のパネルには、前記前面フレームの所定部分に掛かって前記アールデコ調のパネルを支持する掛止突起が形成されることを特徴とする請求項１に記載の洗濯機。
【請求項１０】
前記アールデコ調のパネルは、ゴム材質の物質とプラスチックのうち何れか一つからなることを特徴とする請求項１に記載の洗濯機。
【請求項１１】
洗濯機の前面上側に形成される前面上側フレームと、
前記前面上側フレームの前面に配置されるコントロールパネルと、
前記コントロールパネルの周りに設けられ、前記コントロールパネルの外郭をカバーするアールデコ調のパネルと、を含むことを特徴とする洗濯機。
【請求項１２】
前記アールデコ調のパネルは、前記コントロールパネルの上端部をカバーする上側アールデコ調のパネルと、その両側端部をカバーする左／右側アールデコ調のパネルとを含むことを特徴とする請求項１１に記載の洗濯機。
【請求項１３】
前記コントロールパネルと前記アールデコ調のパネル間の間隔を通して内部部品が露出されることを防止するように、前記アールデコ調のパネルにはそれから延長される遮蔽部が形成されることを特徴とする請求項１１に記載の洗濯機。
【請求項１４】
前記前面上側フレームに前記アールデコ調のパネルが設けられるよう、前記アールデコ調のパネルの背面部には結合部が形成されることを特徴とする請求項１１に記載の洗濯機。
【請求項１５】
前記結合部には、結合部材が貫通するホールが形成され、前記前面上側フレームには、前記結合ホールに対応する位置に貫通された前記結合部材が固定されるホールが形成されることを特徴とする請求項１４に記載の洗濯機。
【請求項１６】
前記結合部は、前記アールデコ調のパネルと一体に形成されることを特徴とする請求項１４に記載の洗濯機。
【請求項１７】
前記前面上側フレーム及び前記アールデコ調のパネルが相互固定されるように、前記前面上側フレーム及び前記アールデコ調のパネルには、それぞれ掛止突起及び前記掛止突起が掛かる掛止部が形成されることを特徴とする請求項１１に記載の洗濯機。
【請求項１８】
前記前面上側フレームに前記アールデコ調のパネルが結合される過程で、前記前面上側フレームに前記アールデコ調のパネルが仮組立されるよう、前記前面上側フレームと前記アールデコ調のパネルには、掛止突起及び前記掛止が掛かる掛止部が形成されることを特徴とする請求項１１に記載の洗濯機。
【請求項１９】
洗濯機の前面を成す前面部と、
前記前面部の周りに設けられ、前記前面部の外郭をカバーするアールデコ調のパネルと、
前記アールデコ調のパネルと前記前面部間の間隔を通して内部部品が露出されることを防止するよう、前記アールデコ調のパネルと前記前面部の間に配置される遮蔽部と、を含むことを特徴とする洗濯機。
【請求項２０】
前記遮蔽部は、前記アールデコ調のパネルから前記前面部側に延長された部分であることを特徴とする請求項１９に記載の洗濯機。
【請求項２１】
前記遮蔽部は、前記アールデコ調のパネルと前記前面部間の間隔を経て前記前面部と一定部分重なるように延長されることを特徴とする請求項２０に記載の洗濯機。
【請求項２２】
洗濯機の前面を成す前面部と、
前記前面部の周りに設けられ、前記前面部の外郭をカバーするアールデコ調のパネルと、
前記前面部と前記アールデコ調のパネルにそれぞれ形成され、前記でこパネルが前記前面部に結合されるようにスライドされて結合されるガイド突起及びガイド溝と、を含むことを特徴とする洗濯機。
【請求項２３】
前記ガイド突起が前記ガイド溝に掛かるように、前記ガイド突起の頭部は突起ボディより突出する形状からなることを特徴とする請求項２２に記載の洗濯機。
【請求項２４】
前記ガイド突起とガイド溝の結合が完了した状態の前記前面部と前記アールデコ調のパネルを固定するフック及びフック結合溝が、それぞれ前記前面部及び前記アールデコ調のパネルに形成されることを特徴とする請求項２３に記載の洗濯機。
【請求項２５】
洗濯機の底面を成すベースと、
前記ベースの前面に配置される前面下側フレームと、
前記前面下側フレームの前面に配置される前面部と、
前記前面部の周りに設けられ、前記前面部の外郭をカバーするアールデコ調のパネルと、を含むことを特徴とする洗濯機。
【請求項２６】
前記ベースには、結合部材が貫通する貫通ホールが形成され、前記前面下側フレームには、貫通された前記結合部材が結合される結合ホールが形成されることを特徴とする請求項２５に記載の洗濯機。
【請求項２７】
前記アールデコ調のパネルには、前記ベースを貫通した前記結合部材が貫通する貫通ホールが形成されることを特徴とする請求項２６に記載の洗濯機。
【請求項２８】
前記ベースには、上方に突出する貫通突起が形成され、前記アールデコ調のパネルと前記前面下側フレームには、前記貫通突起が貫通する貫通ホールが形成されることを特徴とする請求項２５に記載の洗濯機。
【請求項２９】
前記アールデコ調のパネルの背面には突出部が形成され、前記前面下側フレームには、前記突出部に対応する形状に形成され、前記突出部が受容する受容部が形成されることを特徴とする請求項２５に記載の洗濯機。
【発明の詳細な説明】
【技術分野】
【０００１】
本発明は、洗濯機に関する。
【背景技術】
【０００２】
一般に、洗濯機とは、タブ内に給水された水と洗剤（以下、「洗濯水」と称する）の作用を利用して、トラム内に収容された衣服、寝具など（以下、「布」と称する）に付いた汚染を除去するよう、洗い、すすぎ、脱水などの過程を通じて布を洗浄する装置である。
【０００３】
かかる洗濯機には、各種ディスプレイ装置、操作ボタン、制御部などが設けられるコントロールパネルが取り付けられる。洗濯機の前面にはドアが設けられ、コントロールパネルは前記ドアの上側に設けられることができる。すなわち、コントロールパネルは、前記洗濯機の前面部の上側に設けられることができる。
【０００４】
洗濯機を移動させる時や洗濯機の動作中、他の物体との衝突により前記コントロールパネル／ドアにスクラッチ、歪み、破損などの損傷が発生し得る。前記のようなコントロールパネル／ドアの損傷は、それに設けられた各種の部品を損傷させ、前記洗濯機の誤作動を誘発するおそれがある。
【０００５】
また、コントロールパネル／ドアの概観の損傷は、洗濯機全体の概観に対する審美感を低下させる。よって、前記洗濯機全体に対する好感度及び満足度が低下し得る。
【０００６】
さらに、前記のような短所を克服するために前記コントロールパネル／ドアを交替すると、コントロールパネル／ドアに設けられた他の損傷されていない部分も一緒に交替されるので、費用損失が大きくなる。
【発明の開示】
【発明が解決しようとする課題】
【０００７】
本発明は、上述の問題点に鑑みてなされたもので、その目的は、外部衝撃などが与えられても、洗濯機の前面部を成すコントロールパネル／ドアが損傷から保護される洗濯機を提供することにある。
【０００８】
また、本発明の他の目的は、外部衝撃などにより損傷された部分が発生して、それの交替が要求される場合、費用損失を最小化することができる洗濯機を提供することにある。
【課題を解決するための手段】
【０００９】
上記目的を達成すべく、本発明に係る洗濯機は、洗濯機の前面に形成される前面フレームと、前記前面フレームの前面に配置される前面部と、前記前面部の周りに設けられ、その設けられた部分をカバーするアールデコ調のパネルと、を含む。
【００１０】
本発明の他の側面に係る洗濯機は、洗濯機の前面上側に形成される前面上側フレームと、前記前面上側フレームの前面に配置されるコントロールパネルと、前記コントロールパネルの周りに設けられ、前記コントロールパネルの外郭をカバーするアールデコ調のパネルと、を含む。
【００１１】
本発明のまた他の側面に係る洗濯機は、洗濯機の前面を成す前面部と、前記前面部の周りに設けられ、前記前面部の外郭をカバーするアールデコ調のパネルと、前記アールデコ調のパネルと前記前面部間の間隔を通して内部部品が露出されることを防止するよう、前記アールデコ調のパネルと前記前面部の間に配置される遮蔽部と、を含む。
【００１２】
本発明のまた他の側面に係る洗濯機は、洗濯機の前面を成す前面部と、前記前面部の周りに設けられ、前記前面部の外郭をカバーするアールデコ調のパネルと、前記前面部と前記アールデコ調のパネルにそれぞれ形成され、前記アールデコ調のパネルが前記前面部に結合されるようにスライドされて結合されるガイド突起及びガイド溝と、を含む。
【００１３】
本発明のまた他の側面に係る洗濯機は、洗濯機の底面を成すベースと、前記ベースの前面に配置される前面下側フレームと、前記前面下側フレームの前面に配置される前面部と、前記前面部の周りに設けられ、前記前面部の外郭をカバーするアールデコ調のパネルと、を含む。
【発明の効果】
【００１４】
本発明に係る洗濯機によれば、前面部の周辺にアールデコ調のパネルが配置されて、外部物体との衝突などにより前面部に衝撃が与えられても、アールデコ調のパネルで所定範囲内の衝撃が吸収されることができる。したがって、前面部の損傷が防止される効果が得られる。
【００１５】
また、本発明に係る洗濯機によれば、外部衝撃がアールデコ調のパネルで吸収できる範囲を超える場合には、衝撃によりアールデコ調のパネルにスクラッチ、たわみ、割れなどの損傷が発生し、前面部は保護されることが可能である。すなわち、衝撃による損傷が発生しても、その損傷範囲がアールデコ調のパネルに制限される。したがって、前面部の損傷が最小化できる。そして、衝撃により損傷が発生した場合、アールデコ調のパネルだけを交替すればいいので、交替費用が減少する効果が得られる。
【００１６】
また、本発明に係る洗濯機によれば、アールデコ調のパネルは、上側アールデコ調のパネル、左／右側アールデコ調のパネル、下側アールデコ調のパネルなどの独立的な部分に区分されるので、その中から破損した部分だけを交替すればいい。したがって、アールデコ調のパネルの交替による費用がさらに減少する効果が得られる。
【００１７】
また、本発明に係る洗濯機によれば、パネルボディの背面部には、その下側に延長される厚さの薄いボディ遮蔽部が形成される。そして、左／右側折曲部の背面部には、それぞれ右／左側に延長される薄い厚さの左／右遮蔽部が形成される。ボディ遮蔽部と左／右遮蔽部は、上側アールデコ調のパネルとコントロールパネル間の間隔を通して前面上側フレームなどの内部部品が外部に露出されることを防止する。よって、前面上側フレームなどに対する外側の表面処理をしなくても、洗濯機の美しい外観を維持できる効果が得られる。
【００１８】
また、本発明に係る洗濯機によれば、ガイド突起がガイド溝にスライドされることにより、左／右側アールデコ調のパネルがフロントカバーに容易に結合される効果が得られる。
【発明を実施するための最良の形態】
【００１９】
以下、本発明の具体的な実施の形態を、添付図面に基づき詳細に説明する。しかし、本発明の思想が提示される実施の形態に制限されるのではなく、他の構成要素の追加、変更、削除などにより、退歩的な他の発明や本発明の思想の範囲内に含まれる他の実施の形態を容易に提案することができる。
【００２０】
図１は、本発明の第１実施の形態に係る洗濯機を示す前面斜視図であり、図２は、本発明の第１実施の形態に係る洗濯機の前面の分解斜視図である。
【００２１】
図１及び図２に示すように、本発明に係る洗濯機１００は、概観を成すキャビネット１０１、前記キャビネット１０１の上／下側に配置されるトップカバー１０２及びベース１０６を含む。前記キャビネット１０１内には、布と洗濯水が収容されるドラムが設けられるタブ１０４と、前記ドラムを駆動するモータ１０５が設けられる。
【００２２】
前記キャビネット１０１の前面にはキャビネットカバー１３０が設けられ、前記キャビネットカバー１３０の前面にはフロントカバー１２０が設けられる。前記フロントカバー１２０の上側には、コントロールパネル１４０が設けられる。前記フロントカバー１２０と前記コントロールパネル１４０は、前記洗濯機１００の前面部１１０と定義されることができる。前記前面部１１０にはドア１１１が設けられて、布の出入通路を開閉する。
【００２３】
本発明では、前記前面部１１０の周りに沿って、アールデコ調のパネル２００が設けられる。前記アールデコ調のパネル２００は、上側アールデコ調のパネル２１０と、左／右側アールデコ調のパネル２２０、２３０と、下側アールデコ調のパネル２４０とからなることができる。
【００２４】
一方、前記キャビネット１０１の前面の上側及び下側には、それを横切って設けられる全面上側フレーム１５０及び前面下側フレーム１６０が設けられる。前記前面上側フレーム１５０及び前記前面下側フレーム１６０には、それぞれ結合ホール１５１、１５２、１６１が形成される。前記結合ホール１５１は前記キャビネットカバー１３０と、前記結合ホール１５２は前記上側アールデコ調のパネル２１０と、前記結合ホール１６１は前記下側アールデコ調のパネル２４０と結合するためのものである。
【００２５】
前記キャビネットカバー１３０は、前記キャビネット１０１と前記フロントカバー１２０の間に設けられ、前記キャビネット１０１をカバーし、前記フロントカバー１２０を支持する。前記キャビネットカバー１３０には、円形の布挿入ホール１３１が形成される。布の容易な出入のために、前記布挿入ホール１３１は、その中心が前記タブ１０４の中心と一致するように設けられることができる。
【００２６】
前記キャビネットカバー１３０の左／右側上端部には、結合パネル１３２が形成される。前記結合パネル１３２の両側面部には、複数の結合ホール１３３がそれぞれ形成される。前記結合ホール１３３には、結合部材（ボルトなど、以下同一）１３４が貫通される。貫通された結合部材１３４は、前記前面上側フレーム１５０の結合ホール１５１に結合される。よって、前記キャビネットカバー１３０の上部が前記前面上側フレーム１５０に固定されることができる。
【００２７】
前記フロントカバー１２０は、前記キャビネットカバー１３０をカバーして、前記洗濯機１００の前面概観を形成する。前記フロントカバー１２０には、前記キャビネットカバー１３０の布挿入ホール１３１に対応する布挿入ホール１２２が形成される。前記布挿入ホール１２２の周辺部には、所定深さで陥没した形状からなるドア受容部１２１が形成される。前記ドア受容部１２１には、前記ドア１１１が受容されることが可能である。
【００２８】
前記ドア１１１は、ヒンジ部１１３により回転可能に前記フロントカバー１２０に連結されて、前記布挿入ホール１２２を開閉する。前記ドア１１１の後面には、フック１１２が形成される。前記フック１１２は、前記ドア受容部１２１に形成される結合ホール１２３に掛かることにより、前記ドア１１１を前記ドア受容部１２１に固定させる。
【００２９】
前記フロントカバー１２０の上側には、前記コントロールパネル１４０が設けられる。前記コントロールパネル１４０には、ディスプレイ部１４１、操作ボタン１４２、作動ボタン１４３、電源ボタン１４４及びダイヤルノブ１４５などの様々な操作部と、制御部（図示せず）が設けられる。前記コントロールパネル１４０の一側には、洗剤が投入される洗剤ボックス１０３が設けられる。
【００３０】
前記コントロールパネル１４０の周りには、上側アールデコ調のパネル２１０が設けられる。前記フロントカバー１２０の両側には左／右側アールデコ調のパネル２２０、２３０が設けられ、その下側には下側アールデコ調のパネル２４０が設けられる。前記のようにアールデコ調のパネル２００が設けられると、前記コントロールパネル１４０及び前記フロントカバー１２０からなる前面部１１０の周りに沿って、前記アールデコ調のパネル２００が配置される。
【００３１】
前記のように前面部１１０の周りに前記アールデコ調のパネル２００が配置されると、外部物体との衝突などにより前記前面部１１０に衝撃が与えられても、前記アールデコ調のパネル２００で所定範囲内の衝撃が吸収されることができる。したがって、前記前面部１１０の損傷が防止されることができる。このような衝撃吸収を極大化するために、前記アールデコ調のパネル２００は、ゴム材質の物質またはプラスチックからなることができる。
【００３２】
また、前記衝撃が前記アールデコ調のパネル２００で吸収できる範囲を超える場合は、前記衝撃により前記アールデコ調のパネル２００に、スクラッチ、たわみ、割れなどの損傷が発生し、前記前面部１１０は保護されることができる。すなわち、衝撃による損傷が発生しても、その損傷範囲が前記アールデコ調のパネル２００に制限される。したがって、前記前面部１１０の損傷が最小化することができる。そして、前記衝撃により損傷が発生した場合、前記アールデコ調のパネル２００だけを交替するので、交替費用を減少することができる。
【００３３】
さらに、前記アールデコ調のパネル２００は、上側アールデコ調のパネル２１０、左／右側アールデコ調のパネル２２０、２３０、下側アールデコ調のパネル２４０などの独立的な部分に区分されるので、その中から破損された部分だけを交替すればいい。したがって、前記アールデコ調のパネル２００の交替による費用をさらに減少することができる。
【００３４】
以下では、前記アールデコ調のパネル２００の各部分について詳細に説明する。前記上側アールデコ調のパネル２１０については図３を参照して後述し、ここでは、左／右側アールデコ調のパネル２２０、２３０及び下側アールデコ調のパネル２４０について詳細に説明する。
【００３５】
前記左／右側アールデコ調のパネル２２０、２３０は、前記フロントカバー１２０の側面の長手方向に沿って形成されて、前記フロントカバー１２０の両側部を保護する。
【００３６】
前記左／右側出コパネル２２０、２３０の上側には、結合ホール２２３、２３３が形成される。前記結合ホール２２３、２３３には、前記上側アールデコ調のパネル２１０の結合突起２１４、２１５がそれぞれ挿入される。そのような結合により、前記上側アールデコ調のパネル２１０と前記左／右側アールデコ調のパネル２２０、２３０が固定されることができる。
【００３７】
前記左／右側アールデコ調のパネル２２０、２３０の下側には、結合突起２２２、２３２が形成される。前記結合突起２２２、２３２は、前記下側アールデコ調のパネル２４０の両側に形成される結合ホール２４２にそれぞれ挿入される。そのような結合により、前記左／右側アールデコ調のパネル２２０、２３０と前記下側アールデコ調のパネル２４０が固定されることができる。
【００３８】
前記左／右側アールデコ調のパネル２２０、２３０には、それぞれ右／左側に複数のフック２２１が形成されることができる。前記フック２２１は、前記フロントカバー１２０の所定部分に掛かって、前記左／右側アールデコ調のパネル２２０、２３０が前記フロントカバー１２０に固定されるようにする。
【００３９】
前記下側アールデコ調のパネル２４０は、前記フロントカバー１２０の下側の長手方向に沿って形成されて、前記フロントカバー１２０の下側を保護する。
【００４０】
前記下側アールデコ調のパネル２４０の両末端部には、その上側に突出する突出部２４１が形成される。前記突出部２４１の大略中央には、結合ホール２４２が形成される。前述されたように、前記結合ホール２４２には、前記左／右側アールデコ調のパネル２２０、２３０の結合突起２２２、２３２が挿入される。
【００４１】
前記突出部２４１の背面には、上側に折曲された結合部２４３が形成される。前記結合部２４３には、結合ホール２４４が形成される。前記結合ホール２４４には、結合部材２４５が貫通される。貫通された結合部材２４５は、前記前面下側フレーム１６０のの結合ホール１６１に結合される。よって、前記下側アールデコ調のパネル２４０は前記前面下側フレーム１６０に固定されることができる。
【００４２】
前記下側アールデコ調のパネル２４０の背面には、所定間隔で複数の結合突起２４６が形成されることができる。前記結合突起２４６は、前記前面下側フレーム１６０に形成される結合ホール１６２に差し込まれる。よって、前記下側アールデコ調のパネル２４０の長さ方向にその支持点が形成され、前記下側アールデコ調のパネル２４０と前記前面下側フレーム１６０の結合力を補強する。したがって、前記下側アールデコ調のパネル２４０が前記前面下側フレーム１６０に安定的に固定されることができる。
【００４３】
図３は、本発明の第１実施の形態に係る洗濯機に採用される上側アールデコ調のパネルを示す正面図である。
【００４４】
図３に示すように、上側アールデコ調のパネル２１０は、前記コントロールパネル１４０の長手方向に沿って形成されるパネルボディ２１１と、前記パネルボディ２１１の両末端部で下側にそれぞれ折曲される左／右側折曲部２１２、２１３とからなる。前記パネルボディ２１１と、前記左／右側折曲ブ２１２、２１３は、前記コントロールパネル１４０の厚さに対応する厚さで形成されることができる。
【００４５】
前記パネルボディ２１１の背面部には、その下側に延長される薄い厚さのボディ遮蔽部２６０が形成される。そして、前記左／右側折曲部２１２、２１３の背面部には、それぞれ右／左側に延長される薄い厚さの左／右遮蔽部２６１、２６２が形成される。前記ボディ遮蔽部２６０と、前記左／右遮蔽部２６１、２６２は、前記上側アールデコ調のパネル２１０と前記コントロールパネル１４０の間の間隙を通して前記前面上側フレーム１５０などの内部部品が外部に露出されないようにする。よって、前記前面上側フレーム１５０などに対して外側の表面処理をしなくても、前記洗濯機１００の美しい外観を維持することができる。
【００４６】
前記上側アールデコ調のパネル２１０には結合部が形成される。詳細には、前記パネルボディ２１１の背面部に、その下側に結合部２５１、２５２が形成され、前記左／右側折曲部２１２、２１３の背面部には、その右／左側にそれぞれ結合部２５０、２５３が形成される。前記結合部２５０、２５１、２５２、２５３には、それぞれ結合ホール２５４、２５５、２５６、２５７が形成される。前記のように、結合部２５０、２５１、２５２、２５３が所定距離離隔して前記上側アールデコ調のパネル２１０の各部分に形成されることにより、前記上側アールデコ調のパネル２１０が前記前面上側フレーム１５０に安定的に固定されることができる。
【００４７】
ここで、前記結合部２５０、２５１、２５２、２５３は、それぞれ前記ボディ遮蔽部２６０及び前記左／右遮蔽部２６１、２６２と一体に形成されることができる。この場合、前記結合部２５０、２５１、２５２、２５３が形成される前記遮蔽部２６０、２６１、２６２の部分は、他の部分に比べてもっと厚く形成されて、結合部材との結合の際、薄く形成された前記遮蔽部２６０、２６１、２６２の損傷を防止することができる。
【００４８】
一方、前記左／右側折曲部２１２、２１３の各下側末端部には、結合突起２１４、２１５が形成される。前記結合突起２１４、２１５は、前記左／右側アールデコ調のパネル２２０、２３０の上部に形成される結合ホール２２３、２３３にそれぞれ結合されて、前記上側アールデコ調のパネル２１０と前記左／右側アールデコ調のパネル２２０、２３０を固定する。
【００４９】
図４は、本発明の第１実施の形態に係る洗濯機における上側アールデコ調のパネルが結合された様子を結合部を中心に概略的に示す垂直断面図であり、図５は、本発明の第１実施の形態に係る洗濯機における上側アールデコ調のパネルが結合された様子をパネルボディを中心に概略的に示す垂直断面図である。
【００５０】
図４及び図５に示すように、前面上側フレーム１５０の前面にコントロールパネル１４０が設けられる。前記コントロールパネル１４０の上側には、上側アールデコ調のパネル２１０が設けられる。
【００５１】
前記上側アールデコ調のパネル２１０の背面部には、ボディ遮蔽部２６０と結合部２５１が形成される。前記ボディ遮蔽部２６０が前記上側アールデコ調のパネル２１０と前記コントロールパネル１４０の間に形成される間隙１７０よりもっと下側まで配置される。したがって、前記間隙１７０を通して前記前面上側フレーム１５０などの内部部品が外部に露出されることが防止される。
【００５２】
以下、本発明の他の実施の形態について説明する。以下の説明において、上述の第１実施の形態と重複される説明は省略する。
【００５３】
図６は、本発明の第２実施の形態に係る洗濯機の前面の分解斜視図であり、図７は、本発明の第２実施の形態に係る洗濯機における左／右側アールデコ調のパネルがフロントカバーに結合された様子を示す水平断面図である。
【００５４】
図６及び図７に示すように、フロントカバー２９０の両側には、左／右側アールデコ調のパネル２７０、３２０が設けられる。
【００５５】
前記フロントカバー２９０の両側端部には、ガイド突起３１０が形成される。前記ガイド突起３１０は、前記フロントカバー２９０の長さ方向に長く形成される。前記ガイド突起３１０に対応するように、前記左／右側アールデコ調のパネル２７０、３２０の内側前／後面には、それぞれ溝前面部２７１及び溝背面部２７２が形成される。前記溝前面部２７１及び前記溝背面部２７２の間には、ガイド溝２７３が形成される。
【００５６】
本実施の形態では、前記ガイド突起３１０が前記ガイド溝２７３にスライドされることにより、前記左／右側アールデコ調のパネル２７０、３２０が前記フロントカバー２９０に容易に結合されることができる。
【００５７】
また、前記ガイド突起３１０の頭部は、突起ボディより突出する形態からなり、前記ガイド溝２７３に掛かるようになる。よって、前記ガイド突起３１０が前記ガイド溝２７３に挿入されてガイドされると、前記ガイド突起３１０が前記ガイド溝２７３から離脱されることが防止される。したがって、前記左／右側アールデコ調のパネル２７０、３２０が前記フロントカバー２９０に安定的に固定されることができる。
【００５８】
前記左／右側アールデコ調のパネル２７０、３２０には、フック２８０が形成される。そして、前記フロントカバー２９０の両側部には、前記フック２８０が掛かるようにフック結合溝３３０が形成される。前記フック２８０が前記フロントカバー２９０に掛かると、前記左／右側アールデコ調のパネル２７０、３２０が前記フロントカバー２９０にしっかりと固定されて、前記左／右側アールデコ調のパネル２７０、３２０が前記フロントカバー２９０にもっと安定的に固定されることができる。
【００５９】
一方、上側アールデコ調のパネル２１０には、掛止突起３７０、３７１が形成される。詳細に、前記掛止突起３７０、３７１は、パネルボディ２１１の背面部からその下側に延長される。そして、前記掛止突起３７０、３７１は、前記パネルボディ２１１に形成された結合部２５１、２５２の間に形成されることができる。
【００６０】
前記前面上側フレーム１５０の上端部には、掛止部１５２、１５３が形成される。前記掛止部１５２、１５３には前記掛止突起３７０、３７１が掛かる。よって、前記結合２５０、２５１、２５２、２５３の他に、前記掛止突起３７０、３７１も支持点として作用するようになる。したがって、前記上側アールデコ調のパネル２１０が前記前面上側フレーム１５０にもっと安定的に支持されることができる。
【００６１】
図８は、本発明の第２実施の形態に係る洗濯機における上側アールデコ調のパネルが結合された様子をパネルボディを中心に概略的に示す垂直断面図である。
【００６２】
図８に示すように、前面上側フレーム１５０の上側には、前側に突出して折曲される掛止部１５２が形成される。上側アールデコ調のパネル２１０の背面下側には、掛止突起３７０が形成される。
【００６３】
前記上側アールデコ調のパネル２１０が前記前面上側フレーム１５０に結合される時、前記掛止突起３７０は前記掛止部１５２に掛かる。よって、前記掛止突起３７０／前記掛止部１５２が前記上側アールデコ調のパネル２１０／前記前面上側フレーム１５０の結合に対する支持点となる。したがって、前記上側アールデコ調のパネル２１０／前記前面上側フレーム１５０がもっと安定的に支持されることができる。
【００６４】
また、前記前面上側フレーム１５０に前記上側アールデコ調のパネル２１０が結合される時、前記掛止突起３７０が先に前記掛止部１５２に掛かることができる。このような状態は、前記前面上側フレーム１５０に前記上側アールデコ調のパネル２１０が仮組立された状態と定義されることができる。このように仮組立されると、結合時に前記前面上側フレーム１５０と前記上側アールデコ調のパネル２１０を整列することが容易になる。したがって、前記前面上側フレーム１５０と前記上側アールデコ調のパネル２１０の組立が容易になることができる。
【００６５】
図９は、本発明の第３実施の形態に係る洗濯機の前面の分解斜視図である。
【００６６】
図９に示すように、キャビネット１０１の前面には、前面下側フレーム１６０が設けられる。前記前面下側フレーム１６０には、下側アールデコ調のパネル２４０が設けられる。前記キャビネット１０１の底面には、ベース１０６が設けられる。
【００６７】
前記下側アールデコ調のパネル２４０の背面部には、後ろ側に突出する結合突起３４０が形成される。前記結合突起３４０は複数形成されることができる。このような場合、前記結合突起３４０は相互間に所定間隔離隔するように設けられて、前記下側アールデコ調のパネル２４０の背面部に全体的に均一な支持点を形成することができる。前記結合突起３４０には、上下方向に貫通される突起貫通ホール３４１が形成される。
【００６８】
前記前面下側フレーム１６０の底面端部３５６には、結合突起受容部３５０が形成される。前記結合突起受容部３５０には、前記結合突起３４０が結合される。前記の結合が円滑に行われるように、前記結合突起受容部３５０は、前記結合突起３４０の形状に対応して陥没した形状からなることができる。前記結合突起受容部３５０には、前記結合突起３４０の突起貫通ホール３４１に対応する位置に上下方向に貫通される受容部貫通ホール３５１が形成される。そして、前記前面下側フレーム１６０の底面端部３５６には、底面結合ホール３５２が形成される。
【００６９】
前記ベース１０６の前面部には、上下方向に貫通されるベース貫通ホール３５３が形成される。前記ベース貫通ホール３５３には、結合部材３５５が貫通される。前記ベース貫通ホール３５３の側面には、上方に突出する貫通突起３５４が形成される。前記ベース貫通ホール３５３及び前記貫通突起３５４は複数形成されることができる。前記ベース貫通ホール３５３及び前記貫通突起３５４は、一定の間隔で相互交互に形成されることができる。
【００７０】
ここで、前記貫通突起３５４の頭部は、鋭い形状に形成されることができる。よって、前記貫通突起３５４がその貫通対象のホールに容易に貫通されて、その結合が容易になることができる。
【００７１】
前記のように形成されるベース１０６、下側アールデコ調のパネル２４０、前面下側フレーム１６０の結合関係を説明する。
【００７２】
前記前面下側フレーム１６０に前記下側アールデコ調のパネル２４０が設けられると、前記結合突起３４０が前記結合突起受容部３５０に位置する。この時、前記受容部貫通ホール３５１と前記突起貫通ホール３４１が一致する。
【００７３】
前記ベース１０６が前記下側アールデコ調のパネル２４０に設けられると、前記貫通突起３５４が前記突起貫通ホール３４１及び前記受容部貫通ホール３５１を貫通する。よって、前記ベース１０６、前記下側アールデコ調のパネル２４０及び前記前面下側フレーム１６０の前後左右方向の揺れ動きが防止されることができる。
【００７４】
その後、結合部材３５５が前記ベース貫通ホール３５３を貫通して、前記底面結合ホール３５２に結合される。よって、前記結合部材３５５と前記底面結合ホール３５２の結合力により、前記ベース１０６が前記前面下側フレーム１６０に固定される。それによって、前記ベース１０６と前記前面下側フレーム１６０の上下方向の揺れ動きが防止されることができる。この時、前記下側アールデコ調のパネル２４０は、前記貫通突起３５４が貫通された状態なので、前記ベース１０６により加圧される。したがって、前記下側アールデコ調のパネル２４０の上下方向の揺れ動きも防止されることができる。
【００７５】
前記のような結合構造により、前記ベース１０６、前記下側アールデコ調のパネル２４０及び前記前面下側フレーム１６０が相互間に安定的に結合されることができる。
【００７６】
図１０は、本発明の第３実施の形態に係る洗濯機の下部が結合された様子をベースに形成された貫通ホールを中心に概略的に示す垂直断面図であり、図１１は、本発明の第３実施の形態に係る洗濯機の下部が結合された様子をベースに形成された貫通突起を中心に概略的に示す垂直断面図であり、図１２は、本発明の第３実施の形態に係る洗濯機の下部が結合された様子を下側アールデコ調のパネルに形成された結合部を中心に概略的に示す垂直断面図である。
【００７７】
図１０〜図１２を参照すると、前面下側フレーム１６０の前面には、下側アールデコ調のパネル２４０が設けられる。前記下側アールデコ調のパネル２４０の上側には、前面部１１０が設けられる。前記前面下側フレーム１６０の下側には、ベース１０６が設けられる。
【００７８】
図１０に示すように、結合部材３５５が前記ベース１０６に形成されるベース貫通ホール３５３を貫通して、前記前面下側フレーム１６０に形成される底面結合ホール３５２に結合される。
【００７９】
図１１に示すように、前記ベース１０６から突出する貫通突起３５４が前記下側アールデコ調のパネル２４０に形成された突起貫通ホール３４１と、前記前面下側フレーム１６０に形成された受容部貫通ホール３５１を貫通する。
【００８０】
図１２に示すように、結合部材２４５が前記下側アールデコ調のパネル２４０に形成される結合ホール２４４と、前記前面下側フレーム１６０に形成される結合ホール１６１を貫通して、前記キャビネット１０１に結合される。
【００８１】
前記のようなそれぞれの結合により、上述されたように、前記下側アールデコ調のパネル２４０と前記前面下側フレーム１６０と前記キャビネット１０１が安定的に結合されることができる。
【００８２】
図１３は、本発明の第４実施の形態に係る洗濯機の前面の分解斜視図であり、図１４は、本発明の第４実施の形態に係る洗濯機の下部が結合された様子をベースに形成された貫通ホールを中心に概略的に示す垂直断面図である。
【００８３】
図１３及び図１４に示すように、下側アールデコ調のパネル２４０には、結合突起３４０及び固定突起３４２が形成される。これに対応するように、前面下側フレーム１６０の底面端部３５６には、結合突起受容部３５０と固定突起受容部３５７が形成される。
【００８４】
前記固定突起３４２は、前記下側アールデコ調のパネル２４０の背面で後方に突出する形状からなる。前記固定突起３４２には固定ホール３４３が形成される。そして、前記固定突起受容部３５７は、前記固定突起３４２を受容するように、陥没した形状からなる。前記固定突起受容部３５７には、前記固定ホール３４３に対応する底面固定ホール３５８が形成される。
【００８５】
前記のように形成されると、図１４に示すように、ベース１０６に形成されたベース貫通ホール３５３を貫通した結合部材３５５が前記固定突起３４２の固定ホール３４３を貫通する。貫通された結合部材３５５は、前記固定突起受容部３５７の底面固定ホール３５８に固定される。よって、前記ベース１０６と前記下側アールデコ調のパネル２４０と前記前面下側フレーム１６０が固定されることができる。
【００８６】
本実施の形態では、前記結合部材３５５が、前記ベース１０６及び前記前面下側フレーム１６０だけでなく、前記下側アールデコ調のパネル２４０も貫通する。それによって、前記結合部材３５５により、前記下側アールデコ調のパネル２４０の固定突起３４２も支持点となるので、前記下側アールデコ調のパネル２４０が安定的に結合されることができる。
【００８７】
また、前記固定突起３４２が陥没した形状の前記固定突起受容部３５７にフィットすることにより、前記固定突起３４２の側面方向の揺れ動きが防止されることができる。したがって、前記下側アールデコ調のパネル２４０がもっと安定的に結合されることができる。
【００８８】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００８９】
【図１】本発明の第１実施の形態に係る洗濯機を示す前面斜視図である。
【図２】本発明の第１実施の形態に係る洗濯機の前面の分解斜視図である。
【図３】本発明の第１実施の形態に係る洗濯機に採用される上側アールデコ調のパネルを示す正面図である。
【図４】本発明の第１実施の形態に係る洗濯機における上側アールデコ調のパネルが結合された様子を結合部を中心に概略的に示す垂直断面図である。
【図５】本発明の第１実施の形態に係る洗濯機における上側アールデコ調のパネルが結合された様子をパネルボディを中心に概略的に示す垂直断面図である。
【図６】本発明の第２実施の形態に係る洗濯機の前面の分解斜視図である。
【図７】本発明の第２実施の形態に係る洗濯機における左／右側アールデコ調のパネルがフロントカバーに結合された様子を示す水平断面図である。
【図８】本発明の第２実施の形態に係る洗濯機における上側アールデコ調のパネルが結合された様子をパネルボディを中心に概略的に示す垂直断面図である。
【図９】本発明の第３実施の形態に係る洗濯機の前面の分解斜視図である。
【図１０】本発明の第３実施の形態に係る洗濯機の下部が結合された様子をベースに形成された貫通ホールを中心に概略的に示す垂直断面図である。
【図１１】本発明の第３実施の形態に係る洗濯機の下部が結合された様子をベースに形成された貫通突起を中心に概略的に示す垂直断面図である。
【図１２】本発明の第３実施の形態に係る洗濯機の下部が結合された様子を下側アールデコ調のパネルに形成された結合部を中心に概略的に示す垂直断面図である。
【図１３】本発明の第４実施の形態に係る洗濯機の前面の分解斜視図である。
【図１４】本発明の第４実施の形態に係る洗濯機の下部が結合された様子をベースに形成された貫通ホールを中心に概略的に示す垂直断面図である。
【図１】
2008536538.tif 000002
【図２】
2008536538.tif 000003
【図３】
2008536538.tif 000004
【図４】
2008536538.tif 000005
【図５】
2008536538.tif 000006
【図６】
2008536538.tif 000007
【図７】
2008536538.tif 000008
【図８】
2008536538.tif 000009
【図９】
2008536538.tif 000010
【図１０】
2008536538.tif 000011
【図１１】
2008536538.tif 000012
【図１２】
2008536538.tif 000013
【図１３】
2008536538.tif 000014
【図１４】
2008536538.tif 000015